(57)【要約】【課題】ハンドオーバ処理中の無線基地局でのデータバッファリングにおいて移動局に対して送信する下りパケットデータの抜け及び重複を防止する。【解決手段】無線基地局ＤｅＮＢ＃１は、第１ＰＤＣＰエンティティで付与されている第１ＰＤＣＰ-ＳＮと第２ＰＤＣＰエンティティで付与されている第２ＰＤＣＰ-ＳＮとの対応関係を管理しており、移動局ＵＥ＃２のリレーノードＲＮ＃１配下のセルから無線基地局ＤｅＮＢ＃１配下のセルに対するハンドオーバを行うことが決定された場合、無線基地局ＤｅＮＢ＃１は、移動局ＵＥ＃２から通知された「ＳＮ  Ｓｔａｔｕｓ  Ｔｒａｎｓｆｅｒ」と上述の対応関係とに基づいて、リレーノードＲＮ＃１を介することなく移動局ＵＥ＃２に対して再送するＰＤＣＰ-ＰＤＵを決定する。【選択図】図５
2011124951.tif 000002
【特許請求の範囲】
【請求項１】
１つ又は複数の移動局とリレーノードとの間で終端される所定プロトコルレイヤの第１パス及び該リレーノードと無線基地局との間で終端される該所定プロトコルレイヤの第２パスの各々において、下りパケットデータに対して別個のシーケンス番号が付与され、かつ、該第１パスは、前記第２パス上に多重されるように構成されている移動通信システムであって、
前記無線基地局は、前記第１パスの各々で付与されている第１シーケンス番号と前記第２パスで付与されている第２シーケンス番号との対応関係を管理するように構成されており、
特定の移動局の前記リレーノード配下のセルから前記無線基地局配下のセルに対するハンドオーバを行うことが決定された場合、
前記無線基地局は、前記特定の移動局宛ての下りパケットデータをバッファリングするように構成されており、
前記特定の移動局は、前記無線基地局に対して、前記第１パスにおける下りパケットデータの第１受信結果を通知するように構成されており、
前記無線基地局は、前記第１受信結果と前記対応関係とに基づいて、バッファリングされている前記下りパケットデータの中から、前記リレーノードを介することなく前記特定の移動局に対して再送する下りパケットデータを決定するように構成されていることを特徴とする移動通信システム。
【請求項２】
１つ又は複数の移動局とリレーノードとの間で終端される所定プロトコルレイヤの第１パス及び該リレーノードと無線基地局との間で終端される該所定プロトコルレイヤの第２パスの各々において、下りパケットデータに対して別個のシーケンス番号が付与され、かつ、該第１パスは、前記第２パス上に多重されるように構成されている移動通信システムで用いられる前記無線基地局であって、
前記第１パスの各々で付与されている第１シーケンス番号と前記第２パスで付与されている第２シーケンス番号との対応関係を管理するように構成されており管理部と、
特定の移動局の前記リレーノード配下のセルから前記無線基地局配下のセルに対するハンドオーバを行うことが決定された場合、
前記特定の移動局宛ての下りパケットデータをバッファリングするように構成されているバッファ部と、
前記特定の移動局から、前記第１パスにおける下りパケットデータの受信結果を受信するように構成されている第１受信結果受信部と、
前記受信結果と前記対応関係とに基づいて、バッファリングされている前記下りパケットデータの中から、前記リレーノードを介することなく前記特定の移動局に対して再送する下りパケットデータを決定するように構成されている決定部とを具備することを特徴とする無線基地局。
【発明の詳細な説明】
【技術分野】
【０００１】
本発明は、移動通信システム及び無線基地局に関する。
【背景技術】
【０００２】
ＬＴＥ（Ｌｏｎｇ  Ｔｅｒｍ  Ｅｖｏｌｕｔｉｏｎ）方式の後継であるＬＴＥ-Ａｄｖａｎｃｅｄ方式の移動通信システムは、無線基地局ＤｅＮＢ（Ｄｏｎｅｒ-ｅＮＢ）と移動局ＵＥとの間に、リレーノードＲＮ（Ｒｅｌａｙ  Ｎｏｄｅ）を設けることができるように構成されている。
【０００３】
図７に示すように、ＬＴＥ-Ａｄｖａｎｃｅｄ方式の移動通信システムでは、各移動局ＵＥ＃１/ＵＥ＃２とリレーノードＲＮとの間のＵｕ無線ベアラにおいて、第１ＰＤＣＰ（Ｐａｃｋｅｔ  Ｄａｔａ  Ｃｏｎｖｅｒｇｅｎｃｅ  Ｐｒｏｔｏｃｏｌ）エンティティが確立され、リレーノードＲＮと無線基地局ＤｅＮＢとの間のＵｎ無線ベアラにおいて、第２ＰＤＣＰエンティティが確立されるように構成されている。
【０００４】
具体的には、第１ＰＤＣＰエンティティは、各移動局ＵＥの無線ベアラごとに確立され、各移動局ＵＥ＃１/ＵＥ＃２とリレーノードＲＮとの間で終端するように構成されている。
【０００５】
また、第２ＰＤＣＰエンティティ上には、各移動局ＵＥ＃１/ＵＥ＃２用の第１ＰＤＣＰエンティティが多重されるように構成されている。なお、第２ＰＤＣＰエンティティは、リレーノードＲＮと無線基地局ＤｅＮＢとの間で終端するように構成されている。
【０００６】
なお、Ｕｕ無線ベアラは、各移動局ＵＥの通信サービスごとに設定されるように構成されている。
【０００７】
移動局ＵＥが、リレーノードＲＮ配下のセルから、リレーノードＲＮが接続されている無線基地局ＤｅＮＢ配下のセル、若しくは、当該無線基地局ＤｅＮＢ以外の隣接無線基地局ｅＮＢ配下のセルに、ハンドオーバを行う場合、ハンドオーバ元のリレーノードＲＮからハンドーバ先の無線基地局ＤｅＮＢ/ｅＮＢに対してユーザデータが転送されると、無線基地局ＤｅＮＢ/ｅＮＢとリレーノードＲＮとの間の無線バックホール回線にて、無線基地局ＤｅＮＢ/ｅＮＢからリレーノードＲＮに転送されたユーザデータが、無線基地局ＤｅＮＢ/ｅＮＢに対して転送し返されるという問題が発生するため、移動局ＵＥのハンドオーバ中に、無線基地局ＤｅＮＢ/ｅＮＢで移動局ＵＥ宛てユーザデータをバッファリングする方式が提案されている。
【先行技術文献】
【非特許文献】
【０００８】
【非特許文献１】３ＧＰＰ  ＴＲ３６.８０６（Ｖ０.１.１）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）；Ｒｅｌａｙ  ａｒｃｈｉｔｅｓｃｕｒｅｓ  ｆｏｒ  Ｅ−ＵＴＲＡ（ＬＴＥ-Ａｄｖａｎｃｅｄ）（Ｒｅｌｅａｓｅ.９）」、２００９年１１月
【非特許文献２】３ＧＰＰ  ＴＳ３６.３２３（Ｖ８.６.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）；Ｐａｃｋｅｔ  Ｄａｔａ  Ｃｏｎｖｅｒｇｅｎｃｅ  Ｐｒｏｔｏｃｏｌ（ＰＤＣＰ）ｓｐｅｃｉｆｉｃａｔｉｏｎ」、２００９年６月
【発明の概要】
【発明が解決しようとする課題】
【０００９】
しかしながら、かかる移動通信システムでは、第１ＰＤＣＰエンティティ及び第２ＰＤＣＰエンティティにおいてＰＤＣＰ-ＰＤＵ（Ｐａｃｋｅｔ  Ｄａｔａ  Ｕｎｉｔ）に対して別個のＰＤＣＰ-ＳＮ（Ｓｅｑｕｅｎｃｅ  Ｎｕｍｂｅｒ）が付与されるように構成されているため、第２ＰＤＣＰエンティティ上に、同じＱｏＳ（Ｑｕａｌｉｔｙ  ｏｆ  Ｓｅｒｖｉｃｅ）を有する複数の第１ＰＤＣＰエンティティが多重される場合には、同一のＰＤＣＰ-ＰＤＵに対して第１ＰＤＣＰエンティティ及び第２ＰＤＣＰエンティティにおいて異なるＰＤＣＰ-ＳＮが付与されてしまう。
【００１０】
かかる場合、移動局ＵＥのリレーノードＲＮ配下のセルから無線基地局ＤｅＮＢ配下のセルに対するハンドオーバ処理において、上述のデータバッファリングを行うと、無線基地局ＤｅＮＢが、移動局ＵＥに対して送信すべきＰＤＣＰ-ＰＤＵを正確に特定することができないという問題点があった。
【００１１】
そこで、本発明は、上述の課題に鑑みてなされたものであり、ハンドオーバ処理中の無線基地局でのデータバッファリングにおいて移動局に対して送信する下りパケットデータの抜け及び重複を防止することができる移動通信システム及び無線基地局を提供することを目的とする。
【課題を解決するための手段】
【００１２】
本発明の第１の特徴は、１つ又は複数の移動局とリレーノードとの間で終端される所定プロトコルレイヤの第１パス及び該リレーノードと無線基地局との間で終端される該所定プロトコルレイヤの第２パスの各々において、下りパケットデータに対して別個のシーケンス番号が付与され、かつ、該第１パスは、前記第２パス上に多重されるように構成されている移動通信システムであって、前記無線基地局は、前記第１パスの各々で付与されている第１シーケンス番号と前記第２パスで付与されている第２シーケンス番号との対応関係を管理する世に構成されており、特定の移動局の前記リレーノード配下のセルから前記無線基地局配下のセルに対するハンドオーバを行うことが決定された場合、前記無線基地局は、前記特定の移動局宛ての下りパケットデータをバッファリングするように構成されており、前記特定の移動局は、前記無線基地局に対して、前記第１パスにおける下りパケットデータの第１受信状況を通知するように構成されており、前記リレーノードは、前記無線基地局に対して、前記第２パスにおける下りパケットデータの第２受信状況を通知するように構成されており、前記無線基地局は、前記第１受信状況に含まれている前記第１シーケンス番号と前記第２受信状況に含まれている前記第２シーケンス番号と前記対応関係とに基づいて、バッファリングされている前記下りパケットデータの中から、前記特定の移動局に対して送信する下りパケットデータを決定するように構成されていることを要旨とする。
【００１３】
本発明の第２の特徴は、１つ又は複数の移動局とリレーノードとの間で終端される所定プロトコルレイヤの第１パス及び該リレーノードと無線基地局との間で終端される該所定プロトコルレイヤの第２パスの各々において、下りパケットデータに対して別個のシーケンス番号が付与され、かつ、該第１パスは、前記第２パス上に多重されるように構成されている移動通信システムで用いられる前記無線基地局であって、前記第１パスの各々で付与されている第１シーケンス番号と前記第２パスで付与されている第２シーケンス番号との対応関係を管理するように構成されている管理部と、特定の移動局の前記リレーノード配下のセルから前記無線基地局配下のセルに対するハンドオーバを行うことが決定された場合、前記特定の移動局宛ての下りパケットデータをバッファリングするように構成されているバッファ部と、前記特定の移動局から、前記第１パスにおける下りパケットデータの第１受信状況を受信するように構成されている第１受信状況受信部と、前記リレーノードから、前記第２パスにおける下りパケットデータの第２受信状況を受信するように構成されている第２受信状況受信部と、前記第１受信状況に含まれている前記第１シーケンス番号と前記第２受信状況に含まれている前記第２シーケンス番号と前記対応関係とに基づいて、バッファリングされている前記下りパケットデータの中から、前記特定の移動局に対して送信する下りパケットデータを決定するように構成されている決定部とを具備することを要旨とする。
【発明の効果】
【００１４】
以上説明したように、本発明によれば、ハンドオーバ処理中の無線基地局でのデータバッファリングにおいて移動局に対して送信する下りパケットデータの抜け及び重複を防止することができる移動通信システム及び無線基地局を提供することができる。
【図面の簡単な説明】
【００１５】
【図１】本発明の第１の実施形態に係る移動通信システムの全体構成図である。
【図２】本発明の第１の実施形態に係る移動通信システムにおけるＣ-ｐｌａｎｅのプロトコルスタック図である。
【図３】本発明の第１の実施形態に係る移動通信システムにおけるＵ-ｐｌａｎｅのプロトコルスタック図である。
【図４】本発明の第１の実施形態に係る無線基地局ＤｅＮＢの機能ブロック図である。
【図５】本発明の第１の実施形態に係る移動通信システムの動作を説明するための図である。
【図６】本発明の第１の実施形態に係る移動通信システムの動作を示すシーケンス図である。
【図７】従来の移動通信システムの動作を説明するための図である。
【発明を実施するための形態】
【００１６】
（本発明の第１の実施形態に係る移動通信システム）
図１乃至図６を参照して、本発明の第１の実施形態に係る移動通信システムについて説明する。
【００１７】
本実施形態に係る移動通信システムは、ＬＴＥ-Ａｄｖａｎｃｅｄ方式の移動通信システムであって、図１に示すように、交換局ＭＭＥ（Ｍｏｂｉｌｉｔｙ  Ｍａｎａｇｅｍｅｎｔ  Ｅｎｔｉｔｙ）と、ゲートウェイ装置Ｓ-ＧＷ（Ｓｅｒｖｉｎｇ  Ｇａｔｅｗａｙ）と、複数の無線基地局ｅＮＢ/ＤｅＮＢ＃１/ＤｅＮＢ＃２と、複数のリレーノードＲＮ＃１/ＲＮ＃２/ＲＮ＃３/ＲＮ＃４と、移動局ＵＥとを具備している。
【００１８】
本実施形態では、リレーノードＲＮ＃１配下のセルから無線基地局ＤｅＮＢ＃１配下のセルに対する移動局ＵＥのハンドオーバ手順を実現するための移動通信システムについて説明する。
【００１９】
図２に、本実施形態に係る移動通信システムにおけるＣ-ｐｌａｎｅのプロトコルスタックを示し、図３に、本実施形態に係る移動通信システムにおけるＵ-ｐｌａｎｅのプロトコルスタックを示す。
【００２０】
図２に示すように、移動局ＵＥは、Ｃ-ｐｌａｎｅのプロトコル機能として、物理（ＰＨＹ）レイヤ機能と、ＭＡＣ（Ｍｅｄｉａ  Ａｃｃｅｓｓ  Ｃｏｎｔｒｏｌ）レイヤ機能と、ＲＬＣ（Ｒａｄｉｏ  Ｌｉｎｋ  Ｃｏｎｔｒｏｌ）レイヤ機能と、ＰＤＣＰ（Ｐａｃｋｅｔ  Ｄａｔａ  Ｃｏｎｖｅｒｇｅｎｃｅ  Ｐｒｏｔｏｃｏｌ）レイヤ機能と、ＲＲＣ（Ｒａｄｉｏ  Ｒｅｓｏｕｒｃｅ  Ｃｏｎｔｒｏｌ）レイヤ機能とを具備している。
【００２１】
リレーノードＲＮ＃１は、Ｃ-ｐｌａｎｅのプロトコル機能として、移動局ＵＥ側に、物理（ＰＨＹ）レイヤ機能と、ＭＡＣレイヤ機能と、ＲＬＣレイヤ機能と、ＰＤＣＰレイヤ機能と、ＲＲＣレイヤ機能とを具備している。
【００２２】
また、リレーノードＲＮ＃１は、Ｃ-ｐｌａｎｅのプロトコル機能として、無線基地局ＤｅＮＢ＃１側に、物理（ＰＨＹ）レイヤ機能と、ＭＡＣレイヤ機能と、ＲＬＣレイヤ機能と、ＰＤＣＰレイヤ機能と、ＩＰ（Ｉｎｔｅｒｎｅｔ  Ｐｒｏｔｏｃｏｌ）レイヤ機能と、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能と、Ｓ１ＡＰ（Ｓ１  Ａｐｐｌｉｃａｔｉｏｎ）レイヤ機能と、Ｘ２ＡＰ（Ｘ２  Ａｐｐｌｉｃａｔｉｏｎ）レイヤ機能とを具備している。
【００２３】
無線基地局ＤｅＮＢ＃１は、Ｃ-ｐｌａｎｅのプロトコル機能として、リレーノードＲＮ＃１側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＳＣＴＰレイヤ機能と、Ｓ１ＡＰレイヤ機能と、Ｘ２ＡＰレイヤ機能とを具備している。
【００２４】
また、無線基地局ＤｅＮＢ＃１は、Ｃ-ｐｌａｎｅのプロトコル機能として、交換局ＭＭＥ側に、ＮＷＬ１（Ｎｅｔｗｏｒｋ  Ｌａｙｅｒ  １）機能と、ＮＷＬ２（Ｎｅｔｗｏｒｋ  Ｌａｙｅｒ  ２）機能と、ＩＰレイヤ機能と、ＳＣＴＰレイヤ機能と、Ｓ１ＡＰレイヤ機能とを具備している。
【００２５】
交換局ＭＭＥは、Ｃ-ｐｌａｎｅのプロトコル機能として、ＮＷＬ１機能と、ＮＷＬ２機能と、ＩＰレイヤ機能と、ＳＣＴＰレイヤ機能と、Ｓ１ＡＰレイヤ機能とを具備している。
【００２６】
また、図３に示すように、移動局ＵＥは、Ｕ-ｐｌａｎｅのプロトコル機能として、物理（ＰＨＹ）レイヤ機能と、ＭＡＣレイヤ機能と、ＲＬＣレイヤ機能と、ＰＤＣＰレイヤ機能と、ＲＲＣレイヤ機能とを具備している。
【００２７】
リレーノードＲＮ＃１は、Ｕ-ｐｌａｎｅのプロトコル機能として、移動局ＵＥ側に、物理（ＰＨＹ）レイヤ機能と、ＭＡＣレイヤ機能と、ＲＬＣレイヤ機能と、ＰＤＣＰレイヤ機能と、ＲＲＣレイヤ機能とを具備している。
【００２８】
また、リレーノードＲＮ＃１は、Ｕ-ｐｌａｎｅのプロトコル機能として、無線基地局ＤｅＮＢ＃１側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＵＤＰ（Ｕｓｅｒ  Ｄａｔａｇｒａｍ  Ｐｒｏｔｏｃｏｌ）レイヤ機能と、ＧＴＰ（ＧＰＲＳ  Ｔｕｎｎｅｌｉｎｇ  Ｐｒｏｔｏｃｏｌ）-Ｕレイヤ機能とを具備している。
【００２９】
無線基地局ＤｅＮＢ＃１は、Ｕ-ｐｌａｎｅのプロトコル機能として、リレーノードＲＮ＃１側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＵＤＰレイヤ機能と、ＧＴＰ-Ｕレイヤ機能とを具備している。
【００３０】
また、無線基地局ＤｅＮＢ＃１は、Ｕ-ｐｌａｎｅのプロトコル機能として、交換局ＭＭＥ側に、ＮＷＬ１機能と、ＮＷＬ２機能と、ＩＰレイヤ機能と、ＵＤＰレイヤ機能と、ＧＴＰ-Ｕレイヤ機能とを具備している。
【００３１】
交換局ＭＭＥは、Ｕ-ｐｌａｎｅのプロトコル機能として、ＮＷＬ１機能と、ＮＷＬ２機能と、ＩＰレイヤ機能と、ＵＤＰレイヤ機能と、ＧＴＰ-Ｕレイヤ機能とを具備している。
【００３２】
図２及び図３に示すように、第１ＰＤＣＰエンティティ（ＰＤＣＰレイヤにおける第１パス）は、各移動局ＵＥのＰＤＣＰレイヤ機能とリレーノードＲＮ＃１のＰＤＣＰレイヤ機能との間（すなわち、Ｕｕ無線ベアラ内）で終端されており、第２ＰＤＣＰエンティティ（ＰＤＣＰレイヤにおける第２パス）は、リレーノードＲＮ＃１のＰＤＣＰレイヤ機能と無線基地局ＤｅＮＢ＃１のＰＤＣＰレイヤ機能との間（すなわち、Ｕｎ無線ベアラ内）で終端されている。
【００３３】
図４に示すように、無線基地局ＤｅＮＢ＃１は、下りパケットデータ受信部１１と、バッファ部１２と、管理部１３と、ＳＮ  Ｓｔａｔｕｓ  Ｔｒａｎｓｆｅｒ受信部１４と、ＰＤＣＰ  Ｓｔａｔｕｓ  Ｒｅｐｏｒｔ受信部１５と、送信部１６とを具備している。
【００３４】
下りパケットデータ受信部１１は、ゲートウェイ装置Ｓ-ＧＷによって送信された下りパケットデータを受信するように構成されている。
【００３５】
具体的には、下りパケットデータ受信部１１は、移動局ＵＥ＃２のリレーノードＲＮ＃１配下のセルから無線基地局ＤｅＮＢ＃１へのハンドオーバ処理において、ゲートウェイ装置Ｓ-ＧＷによって送信された移動局ＵＥ＃２宛てのＰＤＣＰ-ＰＤＵを複製してバッファ部１２にバッファリングすると共に、送信部１６に転送するように構成されている。
【００３６】
管理部１３は、第１ＰＤＣＰエンティティの各々で付与されている第１ＰＤＣＰ-ＳＮと第２ＰＤＣＰエンティティで付与されている第２ＰＤＣＰ-ＳＮとの対応関係を管理するように構成されている。
【００３７】
ここで、第１ＰＤＣＰエンティティ及び第２ＰＤＣＰエンティティの各々において、各移動局ＵＥ宛てのＰＤＣＰ-ＰＤＵに対して別個のＰＤＣＰ-ＳＮが付与されるように構成されている。
【００３８】
ＳＮ  Ｓｔａｔｕｓ  Ｔｒａｎｓｆｅｒ受信部１４は、上述のハンドオーバ処理において、リレーノードＲＮ＃１から、「ＳＮ  Ｓｔａｔｕｓ  Ｔｒａｎｓｆｅｒ」を受信するように構成されている。
【００３９】
ここで、「ＳＮ  Ｓｔａｔｕｓ  Ｔｒａｎｓｆｅｒ」は、リレーノードＲＮ＃１において次の移動局ＵＥ＃２宛てのＰＤＣＰ-ＰＤＵに対して付与すべき第１ＰＤＣＰ-ＳＮを示す「Ｎｅｘｔ  ＳＮ」を含む。
【００４０】
ＰＤＣＰ  Ｓｔａｔｕｓ  Ｔｒａｎｓｆｅｒ受信部１５は、上述のハンドオーバ処理において、移動局ＵＥ＃２から、「ＰＤＣＰ  Ｓｔａｔｕｓ  Ｔｒａｎｓｆｅｒ」を受信するように構成されている。
【００４１】
ここで、「ＰＤＣＰ  Ｓｔａｔｕｓ  Ｔｒａｎｓｆｅｒ」は、移動局ＵＥ＃２において受信に成功したＰＤＣＰ-ＰＤＵの第１ＰＤＣＰ-ＳＮ、及び、移動局ＵＥ＃２において受信に失敗したＰＤＣＰ-ＰＤＵの第１ＰＤＣＰ-ＳＮを含む。
【００４２】
送信部１６は、リレーノードＲＮ＃１に対して、下りパケットデータ受信部１１によって転送された移動局ＵＥ＃２宛てのＰＤＣＰ-ＰＤＵを送信するように構成されている。
【００４３】
また、送信部１６は、「ＰＤＣＰ  Ｓｔａｔｕｓ  Ｔｒａｎｓｆｅｒ」に含まれる移動局ＵＥ＃２において受信に失敗したＰＤＣＰ-ＰＤＵの第１ＰＤＣＰ-ＳＮと、管理部１３によって管理されている対応関係とに基づいて、バッファ部１２にバッファリングされているＰＤＣＰ-ＰＤＵの中から、移動局ＵＥ＃２に対して再送するＰＤＣＰ-ＰＤＵの第２ＰＤＣＰ-ＳＮを決定するように構成されている。
【００４４】
図５の例では、リレーノードＲＮ＃１は、Ｕｎ無線ベアラ内に確立されている第２ＰＤＣＰエンティティを介して、無線基地局ＤｅＮＢ＃１から、第２ＰＤＣＰ-ＳＮ＃１乃至＃６のＰＤＣＰ-ＰＤＵの受信に成功している。
【００４５】
ここで、受信に成功したＰＤＣＰ-ＰＤＵのうち、第２ＰＤＣＰ-ＳＮ＃３、＃５及び＃６のＰＤＣＰ-ＰＤＵが、移動局ＵＥ＃２宛てのＰＤＣＰ-ＰＤＵである。
【００４６】
その後、リレーノードＲＮ＃１は、受信に成功した移動局ＵＥ＃２宛てのＰＤＣＰ-ＰＤＵに対して第１ＰＤＣＰ-ＳＮを新たに付与した後、第１ＰＤＣＰエンティティを介して移動局ＵＥ＃２に対して送信する。
【００４７】
具体的には、リレーノードＲＮ＃１は、第２ＰＤＣＰ-ＳＮ＃３のＰＤＣＰ-ＰＤＵに対して第１ＰＤＣＰ-ＳＮ＃１を新たに付与して送信し、第２ＰＤＣＰ-ＳＮ＃５のＰＤＣＰ-ＰＤＵに対して第１ＰＤＣＰ-ＳＮ＃２を新たに付与して送信し、第２ＰＤＣＰ-ＳＮ＃６のＰＤＣＰ-ＰＤＵに対して第１ＰＤＣＰ-ＳＮ＃３を新たに付与して送信する。
【００４８】
リレーノードＲＮ＃１は、所定タイミングで、無線基地局ＤｅＮＢ＃１に対して、リレーノードＲＮ＃１において次の移動局ＵＥ＃２宛てのＰＤＣＰ-ＰＤＵに対して付与すべき第１ＰＤＣＰ-ＳＮを示す「Ｎｅｘｔ  ＳＮ＝４」を含む「ＳＮ  Ｓｔａｔｕｓ  Ｔｒａｎｓｆｅｒ」を送信する。
【００４９】
ここで、移動局ＵＥ＃２は、リレーノードＲＮ＃１によって送信されたＰＤＣＰ-ＰＤＵのうち、第１ＰＤＣＰ-ＳＮ＃１及び＃３のＰＤＣＰ-ＰＤＵの受信に成功し、第１ＰＤＣＰ-ＳＮ＃２のＰＤＣＰ-ＰＤＵの受信に失敗している。
【００５０】
移動局ＵＥ＃２は、所定タイミングで、無線基地局ＤｅＮＢ＃１に対して、上述のＰＤＣＰ-ＰＤＵの受信結果を示す「ＰＤＣＰ  Ｓｔａｔｕｓ  Ｔｒａｎｓｆｅｒ」を送信する。
【００５１】
無線基地局ＤｅＮＢ＃１は、「ＰＤＣＰ  Ｓｔａｔｕｓ  Ｔｒａｎｓｆｅｒ」に基づいて、管理部１３によって管理されている対応関係を参照し、リレーノードＲＮ＃１を介することなく移動局ＵＥに対して再送すべきＰＤＣＰ-ＰＤＵを決定する。
【００５２】
具体的には、無線基地局ＤｅＮＢ＃１は、「ＳＮ  Ｓｔａｔｕｓ  Ｔｒａｎｓｆｅｒ」に含まれる「Ｎｅｘｔ  ＳＮ＝４」から、リレーノードＲＮ＃１に対する移動局ＵＥ＃２宛ての第２ＰＤＣＰ-ＳＮ＃１乃至＃３のＰＤＣＰ-ＰＤＵの送信が完了していることが分かる。
【００５３】
また、無線基地局ＤｅＮＢ＃１は、「ＰＤＣＰ  Ｓｔａｔｕｓ  Ｔｒａｎｓｆｅｒ」に含まれる受信結果から、移動局ＵＥにおいて第１ＰＤＣＰ-ＳＮ＃２のＰＤＣＰ-ＰＤＵの受信に失敗したことが分かる。
【００５４】
その結果、無線基地局ＤｅＮＢ＃１は、移動局ＵＥ＃２の接続セルの切り替え後、移動局ＵＥ＃２に対して、リレーノードＲＮ＃１を介することなく、バッファリングされている第２ＰＤＣＰ-ＳＮ＃１乃至＃６のＰＤＣＰ-ＰＤＵのうち、第１ＰＤＣＰ-ＳＮ＃２に対応する第２ＰＤＣＰ-ＳＮ＃５のＰＤＣＰ-ＰＤＵを再送することを決定する。
【００５５】
ここで、無線基地局ＤｅＮＢ＃１は、バッファリングされている第２ＰＤＣＰ-ＳＮ＃１乃至＃６のＰＤＣＰ-ＰＤＵのうち、第１ＰＤＣＰ-ＳＮ＃１及び＃３に対応する第２ＰＤＣＰ-ＳＮ＃３及び＃６のＰＤＣＰ-ＰＤＵを削除するように構成されていてもよい。
【００５６】
以下、図６を参照して、本発明の第１の実施形態に係る移動通信システムにおいて、移動局ＵＥ＃２のリレーノードＲＮ＃１配下のセルから無線基地局ＤｅＮＢ＃１配下のセルへのハンドオーバ手順を行う場合の動作について説明する。
【００５７】
図６に示すように、ステップＳ１００１において、リレーノードＲＮ＃１は、移動局ＵＥ＃２に対して、「Ｍｅａｓｕｒｅｍｅｎｔ  Ｃｏｎｔｒｏｌ」を送信する。
【００５８】
ステップＳ１００２において、移動局ＵＥ＃２は、所定トリガが満たされた場合に、リレーノードＲＮ＃１に対して、「Ｍｅａｓｕｒｅｍｅｎｔ  Ｒｅｐｏｒｔ」を送信する。
【００５９】
ステップＳ１００３において、リレーノードＲＮ＃１は、「Ｍｅａｓｕｒｅｍｅｎｔ  Ｒｅｐｏｒｔ」に基づいて、移動局ＵＥ＃２のリレーノードＲＮ＃１配下のセルから無線基地局ＤｅＮＢ＃１配下のセルへのハンドオーバ手順を開始することを決定する。
【００６０】
ステップＳ１００４において、リレーノードＲＮ＃１は、無線基地局ＤｅＮＢ＃１に対して、「（Ｘ２）ＨＯ  Ｒｅｑｕｅｓｔ」を送信し、無線基地局ＤｅＮＢ＃１は、ステップＳ１００５において、リレーノードＲＮ＃１に対して、「（Ｘ２）ＨＯ  Ｒｅｑｕｅｓｔ  ＡＣＫ」を送信し、ステップＳ１００７において、リレーノードＲＮ＃１に対して転送したＰＤＣＰ-ＰＤＵのバッファリングを開始する。
【００６１】
無線基地局ＤｅＮＢ＃１は、かかるタイミングで、移動局ＵＥ＃２宛ての第１ＰＤＣＰ-ＳＮと第２ＰＤＣＰ-ＳＮとの対応関係の管理を開始してもよいし、常時、移動局ＵＥ＃２宛ての第１ＰＤＣＰ-ＳＮと第２ＰＤＣＰ-ＳＮとの対応関係を管理していてもよい。
【００６２】
なお、無線基地局ＤｅＮＢ＃１は、リレーノードＲＮ＃１に対して転送した移動局ＵＥ＃２宛てのＰＤＣＰ-ＰＤＵのみのバッファリングを開始してもよい。
【００６３】
ステップＳ１００６において、リレーノードＲＮ＃１は、移動局ＵＥ＃２に対して、「ＲＲＣ  Ｃｏｎｎｅｃｔｉｏｎ  Ｒｅｃｏｎｆｉｇｕｒａｔｉｏｎ」を送信する。
【００６４】
ステップＳ１００８において、リレーノードＲＮ＃１は、無線基地局ＤｅＮＢ＃１に対して、「（Ｘ２）ＳＮ  Ｓｔａｔｕｓ  Ｔｒａｎｓｆｅｒ」を送信する。
【００６５】
ステップＳ１００９において、無線基地局ＤｅＮＢ＃１は、移動局ＵＥ＃２宛ての下りパケットデータ（ＰＤＣＰ-ＰＤＵ）のリレーノードＲＮ＃１への送信を停止する。
【００６６】
ステップＳ１０１０において、移動局ＵＥ＃２は、リレーノードＲＮ＃１配下のセルからのデタッチ処理を行い、無線基地局ＤｅＮＢ＃１配下のセルとの間で同期処理を行う。
【００６７】
ステップＳ１０１１において、移動局ＵＥ＃２は、無線基地局ＤｅＮＢ＃１に対して、「Ｒａｎｄｏｍ  Ａｃｃｅｓｓ  Ｐｒｅａｍｂｌｅ」を送信し、ステップＳ１０１２において、無線基地局ＤｅＮＢ＃１は、移動局ＵＥ２に対して、上りリンクにおける無線リソースを割り当て、移動局ＵＥ用の「ＴＡ」を送信し、ステップＳ１０１３において、移動局ＵＥ＃２は、リレーノードＲＮ＃１に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００６８】
ステップＳ１０１４において、無線基地局ＤｅＮＢ＃１は、移動局ＵＥ＃２〜受信した「ＰＤＣＰ  Ｓｔａｔｕｓ  Ｔｒａｎｓｆｅｒ」と上述の対応関係とに基づいて、移動局ＵＥ＃２において受信に失敗した移動局ＵＥ＃２宛てのＰＤＣＰ-ＰＤＵの再送を開始する。
【００６９】
かかる再送の完了後、無線基地局ＤｅＮＢ＃１は、ゲートウェイ装置Ｓ-ＧＷから受信した下りパケットデータ（ＰＤＣＰ-ＰＤＵ）を、リレーノードＲＮ＃１を介することなく移動局ＵＥ＃２に対して送信する。
【００７０】
ステップＳ１０１６において、無線基地局ＤｅＮＢ＃１は、リレーノードＲＮ＃１に対して、「（Ｘ２）ＵＥ  Ｃｏｎｔｅｘｔ  Ｒｅｌｅａｓｅ」を送信する。
【００７１】
なお、かかるハンドオーバ処理の前後において、無線基地局ＤｅＮＢ＃１と交換局ＭＭＥとの間で確立されている移動局ＵＥ＃２用のＳ１コネクションにおいて変更はない。
【００７２】
本発明の第１の実施形態に係る移動通信システムによれば、移動局ＵＥ＃２のリレーノードＲＮ＃１配下のセルから無線基地局ＤｅＮＢ＃１配下のセルへのハンドオーバ処理が行われた場合であっても、かかるハンドオーバ処理中に移動局ＵＥにおいて受信に失敗したＰＤＣＰ-ＰＤＵの再送が可能となるため、ハンドオーバ処理において移動局ＵＥ＃２に対して送信するＰＤＣＰ-ＰＤＵの抜け及び重複を防止することができる。
【００７３】
以上に述べた本実施形態の特徴は、以下のように表現されていてもよい。
【００７４】
本実施形態の第１の特徴は、１つ又は複数の移動局ＵＥ＃１/ＵＥ＃２とリレーノードＲＮとの間で終端される第１ＰＤＣＰエンティティ（所定プロトコルレイヤの第１パス）及びリレーノードＲＮと無線基地局ＤｅＮＢとの間で終端される第２ＰＤＣＰエンティティ（第２パス）の各々において、ＰＤＣＰ-ＰＤＵ（下りパケットデータ）に対して別個のＰＤＣＰ-ＳＮ（シーケンス番号）が付与され、かつ、第１ＰＤＣＰエンティティは、第２ＰＤＣＰエンティティ上に多重されるように構成されている移動通信システムであって、無線基地局ＤｅＮＢは、第１ＰＤＣＰエンティティの各々で付与されている第１ＰＤＣＰ-ＳＮ（第１シーケンス番号）と第２ＰＤＣＰエンティティで付与されている第２ＰＤＣＰ-ＳＮ（第２シーケンス番号）との対応関係を管理するように構成されており、移動局ＵＥ＃２（特定の移動局）のリレーノードＲＮ配下のセルから無線基地局ＤｅＮＢ配下のセルに対するハンドオーバを行うことが決定された場合、無線基地局ＤｅＮＢは、移動局ＵＥ＃２宛てのＰＤＣＰ-ＰＤＵをバッファリングするように構成されており、移動局ＵＥ＃２は、無線基地局ＤｅＮＢに対して、「ＳＮ  Ｓｔａｔｕｓ  Ｔｒａｎｓｆｅｒ（第１パスにおける下りパケットデータの受信結果）」を通知するように構成されており、無線基地局ＤｅＮＢは、「ＰＤＣＰ  Ｓｔａｔｕｓ  Ｔｒａｎｓｆｅｒ」と上述の対応関係とに基づいて、バッファリングされているＰＤＣＰ-ＰＤＵの中から、リレーノードＲＮ＃１を介することなく移動局ＵＥ＃２に対して再送するＰＤＣＰ-ＰＤＵを決定するように構成されていることを要旨とする。
【００７５】
本実施形態の第２の特徴は、１つ又は複数の移動局ＵＥ＃１/ＵＥ＃２とリレーノードＲＮとの間で終端される第１ＰＤＣＰエンティティ及びリレーノードＲＮと無線基地局ＤｅＮＢとの間で終端される第２ＰＤＣＰエンティティの各々において、ＰＤＣＰ-ＰＤＵに対して別個のＰＤＣＰ-ＳＮが付与され、かつ、第１ＰＤＣＰエンティティは、第２ＰＤＣＰエンティティ上に多重されるように構成されている移動通信システムで用いられる無線基地局ＤｅＮＢであって、第１ＰＤＣＰエンティティの各々で付与されている第１ＰＤＣＰ-ＳＮと第２ＰＤＣＰエンティティで付与されている第２ＰＤＣＰ-ＳＮとの対応関係を管理するように構成されている管理部１３と、移動局ＵＥ＃２のリレーノードＲＮ配下のセルから無線基地局ＤｅＮＢ配下のセルに対するハンドオーバを行うことが決定された場合、移動局ＵＥ＃２宛てのＰＤＣＰ-ＰＤＵをバッファリングするように構成されているバッファ部１２と、移動局ＵＥ＃２から、「ＰＤＣＰ  Ｓｔａｔｕｓ  Ｔｒａｎｓｆｅｒ」を受信するように構成されているＰＤＣＰ  Ｓｔａｔｕｓ  Ｔｒａｎｓｆｅｒ受信部１５と、「ＰＤＣＰ  Ｓｔａｔｕｓ  Ｔｒａｎｓｆｅｒ」と上述の対応関係とに基づいて、バッファリングされているＰＤＣＰ-ＰＤＵの中から、リレーノードＲＮ＃１を介することなく移動局ＵＥ＃２に対して送信するＰＤＣＰ-ＰＤＵを決定するように構成されている送信部１６とを具備することを要旨とする。
【００７６】
なお、上述の交換局ＭＭＥやゲートウェイ装置Ｓ-ＧＷや無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００７７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、交換局ＭＭＥやゲートウェイ装置Ｓ-ＧＷや無線基地局ＤｅＮＢやリレーノードＲＮや移動局ＵＥ内に設けられていてもよい。また、かかる記憶媒体及びプロセッサは、ディスクリートコンポーネントとして交換局ＭＭＥやゲートウェイ装置Ｓ-ＧＷや無線基地局ＤｅＮＢやリレーノードＲＮや移動局ＵＥ内に設けられていてもよい。
【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００８０】
ＭＭＥ…交換局
Ｓ-ＧＷ…ゲートウェイ装置
ＲＮ…リレーノード
ＵＥ…移動局
ＤｅＮＢ…無線基地局
１１…下りパケットデータ受信部
１２…バッファ部
１３…管理部
１４…ＳＮ  Ｓｔａｔｕｓ  Ｔｒａｎｓｆｅｒ受信部
１５…ＰＤＣＰ  Ｓｔａｔｕｓ  Ｒｅｐｏｒｔ受信部
１６…送信部
【図１】
2011124951.tif 000003
【図２】
2011124951.tif 000004
【図３】
2011124951.tif 000005
【図４】
2011124951.tif 000006
【図５】
2011124951.tif 000007
【図６】
2011124951.tif 000008
【図７】
2011124951.tif 000009